(57)【特許請求の範囲】
【請求項１】
重ね合わせた表フィルムと裏フィルムの両側縁を密封する一対のサイドシール部と、前記表フィルムと前記裏フィルムの上縁を密封するトップシール部とを有し、前記一対のサイドシール部の一方のサイドシール部に易開封部を形成した包装袋であって、
前記表フィルム及び裏フィルムの前記一対のサイドシール部間の領域に、前記表フィルムに設けられた表開封ガイド線と、前記裏フィルムに設けられた裏開封ガイド線とを有し、
前記表開封ガイド線及び前記裏開封ガイド線は、前記易開封部から他方のサイドシール部に向けて前記包装袋の縦方向に延びる対称軸線と直交する方向に延びる開封仮想直線に対して傾斜して延在し、
前記表開封ガイド線の前記他方のサイドシール部寄りの端部と、前記裏開封ガイド線の前記他方のサイドシール寄りの端部とが、前記他方のサイドシール部の内縁上又は前記内縁の近傍、又は、前記トップシール部の下縁上又は前記下縁の近傍で互いに重なっており、
前記表開封ガイド線及び裏開封ガイド線の各々の前記一方のサイドシール部寄りの端部は、前記開封仮想直線よりも下側に位置し、前記表開封ガイド線及び裏開封ガイド線の各々の前記他方のサイドシール部寄りの端部は、前記開封仮想直線よりも上側に位置し、
又は、
前記表開封ガイド線及び裏開封ガイド線の各々の前記他方のサイドシール部寄りの端部は、前記他方のサイドシール部の内縁上又は前記内縁の近傍で互いに重なり、前記表開封ガイド線及び裏開封ガイド線の各々の前記一方のサイドシール部寄りの端部は、前記開封仮想直線よりも上側に位置し、前記表開封ガイド線及び裏開封ガイド線の各々の前記他方のサイドシール部寄りの端部は、前記開封仮想直線よりも下側に位置している
ことを特徴とする、包装袋。
【請求項２】
前記表開封ガイド線及び裏開封ガイド線の各々の前記一方のサイドシール部寄りの端部は、前記トップシール部の下縁上に位置している
ことを特徴とする、請求項１記載の包装袋。
【請求項３】
前記表開封ガイド線及び裏開封ガイド線の各々の前記他方のサイドシール部寄りの端部は、前記一対のサイドシール部の内縁間の前記開封仮想直線に沿った長さの２８％以上の距離だけ前記開封仮想直線から離れて位置している
ことを特徴とする、請求項１又は２記載の包装袋。
【請求項４】
前記表開封ガイド線及び裏開封ガイド線の各々の前記他方のサイドシール部寄りの端部は、前記一対のサイドシール部の内縁間の前記開封仮想直線に沿った長さの３８％以上の距離だけ前記開封仮想直線から離れて位置している
ことを特徴とする、請求項１又は２記載の包装袋。
【請求項５】
前記表開封ガイド線及び裏開封ガイド線の各々の前記他方のサイドシール部寄りの端部は、前記開封仮想直線の下側であって、前記開封仮想直線から、前記一対のサイドシール部の内縁間の前記開封仮想直線に沿った長さの２３％以内の距離に位置している
ことを特徴とする、請求項１又は２記載の包装袋。
【請求項６】
前記表開封ガイド線及び裏開封ガイド線の各々の前記一方のサイドシール部寄りの端部は、前記一方のサイドシール部の内縁上に位置している
ことを特徴とする、請求項１〜５の何れか一項に記載の包装袋。
【請求項７】
前記表開封ガイド線及び裏開封ガイド線の各々の前記一方のサイドシール部寄りの端部は、前記一対のサイドシール部の内縁間の前記開封仮想直線に沿った長さの２８％以上の距離だけ前記開封仮想直線から離れて位置している
ことを特徴とする、請求項１〜６の何れか一項に記載の包装袋。
【請求項８】
前記表開封ガイド線及び裏開封ガイド線の各々の前記一方のサイドシール部寄りの端部は、前記一対のサイドシール部の内縁間の前記開封仮想直線に沿った長さの３８％以上の距離だけ前記開封仮想直線から離れて位置している
ことを特徴とする、請求項１〜６の何れか一項に記載の包装袋。
【請求項９】
前記開封仮想直線に対する前記開封ガイド線の延在方向の傾斜角度は、１０°〜５０°である
ことを特徴とする、請求項１〜８の何れか一項に記載の包装袋。
【請求項１０】
前記表開封ガイド線及び裏開封ガイド線は、前記表フィルム及び裏フィルムよりも破断しにくい強化部の縁によって構成されている
ことを特徴とする、請求項１〜９の何れか一項に記載の包装袋。
【請求項１１】
前記表開封ガイド線及び裏開封ガイド線は、前記表フィルム及び裏フィルムよりも破断しやすい弱化部によって構成されている
ことを特徴とする、請求項１〜１０の何れか一項に記載の包装袋。
【請求項１２】
重ね合わせた表フィルムと裏フィルムの両側縁を密封する一対のサイドシール部と、前記表フィルムと前記裏フィルムの上縁を密封するトップシール部とを有し、前記一対のサイドシール部の一方のサイドシール部に易開封部を形成した包装袋であって、
前記表フィルム及び裏フィルムの前記一対のサイドシール部間の領域に、前記表フィルムに設けられた表開封ガイド線と、前記裏フィルムに設けられた裏開封ガイド線とを有し、
前記表開封ガイド線及び前記裏開封ガイド線は、前記易開封部から他方のサイドシール部に向けて前記包装袋の縦方向に延びる対称軸線と直交する方向に延びる開封仮想直線に対して傾斜して延在し、
前記表開封ガイド線の前記他方のサイドシール部寄りの端部と、前記裏開封ガイド線の前記他方のサイドシール寄りの端部とが、前記他方のサイドシール部の内縁上又は前記内縁の近傍、又は、前記トップシール部の下縁上又は前記下縁の近傍で互いに重なっており、
前記表開封ガイド線及び裏開封ガイド線の各々の前記一方のサイドシール部寄りの端部は、前記トップシール部の下縁上に位置している
ことを特徴とする、包装袋。
【請求項１３】
重ね合わせた表フィルムと裏フィルムの両側縁を密封する一対のサイドシール部と、前記表フィルムと前記裏フィルムの上縁を密封するトップシール部とを有し、前記一対のサイドシール部の一方のサイドシール部に易開封部を形成した包装袋であって、
前記表フィルム及び裏フィルムの前記一対のサイドシール部間の領域に、前記表フィルムに設けられた表開封ガイド線と、前記裏フィルムに設けられた裏開封ガイド線とを有し、
前記表開封ガイド線及び前記裏開封ガイド線は、前記易開封部から他方のサイドシール部に向けて前記包装袋の縦方向に延びる対称軸線と直交する方向に延びる開封仮想直線に対して傾斜して延在し、
前記表開封ガイド線の前記他方のサイドシール部寄りの端部と、前記裏開封ガイド線の前記他方のサイドシール寄りの端部とが、前記他方のサイドシール部の内縁上又は前記内縁の近傍、又は、前記トップシール部の下縁上又は前記下縁の近傍で互いに重なっており、
前記表開封ガイド線及び裏開封ガイド線の各々の前記他方のサイドシール部寄りの端部は、前記一対のサイドシール部の内縁間の前記開封仮想直線に沿った長さの２８％以上の距離だけ前記開封仮想直線から離れて位置している
ことを特徴とする、包装袋。
【請求項１４】
重ね合わせた表フィルムと裏フィルムの両側縁を密封する一対のサイドシール部と、前記表フィルムと前記裏フィルムの上縁を密封するトップシール部とを有し、前記一対のサイドシール部の一方のサイドシール部に易開封部を形成した包装袋であって、
前記表フィルム及び裏フィルムの前記一対のサイドシール部間の領域に、前記表フィルムに設けられた表開封ガイド線と、前記裏フィルムに設けられた裏開封ガイド線とを有し、
前記表開封ガイド線及び前記裏開封ガイド線は、前記易開封部から他方のサイドシール部に向けて前記包装袋の縦方向に延びる対称軸線と直交する方向に延びる開封仮想直線に対して傾斜して延在し、
前記表開封ガイド線の前記他方のサイドシール部寄りの端部と、前記裏開封ガイド線の前記他方のサイドシール寄りの端部とが、前記他方のサイドシール部の内縁上又は前記内縁の近傍、又は、前記トップシール部の下縁上又は前記下縁の近傍で互いに重なっており、
前記表開封ガイド線及び裏開封ガイド線の各々の前記一方のサイドシール部寄りの端部は、前記一方のサイドシール部の内縁上に位置している
前記表開封ガイド線及び裏開封ガイド線の各々の前記他方のサイドシール部寄りの端部は、前記一対のサイドシール部の内縁間の前記開封仮想直線に沿った長さの３８％以上の距離だけ前記開封仮想直線から離れて位置している
ことを特徴とする、包装袋。
【請求項１５】
重ね合わせた表フィルムと裏フィルムの両側縁を密封する一対のサイドシール部と、前記表フィルムと前記裏フィルムの上縁を密封するトップシール部とを有し、前記一対のサイドシール部の一方のサイドシール部に易開封部を形成した包装袋であって、
前記表フィルム及び裏フィルムの前記一対のサイドシール部間の領域に、前記表フィルムに設けられた表開封ガイド線と、前記裏フィルムに設けられた裏開封ガイド線とを有し、
前記表開封ガイド線及び前記裏開封ガイド線は、前記易開封部から他方のサイドシール部に向けて前記包装袋の縦方向に延びる対称軸線と直交する方向に延びる開封仮想直線に対して傾斜して延在し、
前記表開封ガイド線の前記他方のサイドシール部寄りの端部と、前記裏開封ガイド線の前記他方のサイドシール寄りの端部とが、前記他方のサイドシール部の内縁上又は前記内縁の近傍、又は、前記トップシール部の下縁上又は前記下縁の近傍で互いに重なっており、
前記表開封ガイド線及び裏開封ガイド線の各々の前記他方のサイドシール部寄りの端部は、前記開封仮想直線の下側であって、前記開封仮想直線から、前記一対のサイドシール部の内縁間の前記開封仮想直線に沿った長さの２３％以内の距離に位置している
ことを特徴とする、包装袋。
【請求項１６】
重ね合わせた表フィルムと裏フィルムの両側縁を密封する一対のサイドシール部と、前記表フィルムと前記裏フィルムの上縁を密封するトップシール部とを有し、前記一対のサイドシール部の一方のサイドシール部に易開封部を形成した包装袋であって、
前記表フィルム及び裏フィルムの前記一対のサイドシール部間の領域に、前記表フィルムに設けられた表開封ガイド線と、前記裏フィルムに設けられた裏開封ガイド線とを有し、
前記表開封ガイド線及び前記裏開封ガイド線は、前記易開封部から他方のサイドシール部に向けて前記包装袋の縦方向に延びる対称軸線と直交する方向に延びる開封仮想直線に対して傾斜して延在し、
前記表開封ガイド線の前記他方のサイドシール部寄りの端部と、前記裏開封ガイド線の前記他方のサイドシール寄りの端部とが、前記他方のサイドシール部の内縁上又は前記内縁の近傍、又は、前記トップシール部の下縁上又は前記下縁の近傍で互いに重なっており、
前記表開封ガイド線及び裏開封ガイド線の各々の前記一方のサイドシール部寄りの端部は、前記一方のサイドシール部の内縁上に位置している
ことを特徴とする、包装袋。
【発明の詳細な説明】
【技術分野】
【０００１】
本発明は、包装袋に係り、より詳細には、手指で一方のサイドシール部から他方のサイドシール部まで開封される包装袋に関する。
【背景技術】
【０００２】
近年、レトルトパウチのように内容物を収容した包装袋が広く利用されている。かかる包装袋の多くは、上部シール部に近い部分を一方のサイドシール部から他方のサイドシール部まで手指で引き裂くことによって開封される。そのため、多くの包装袋のサイドシール部には、ノッチや切り込みのような易開封部が形成されている。また、下記の特許文献１には、開封を容易にするため、周辺熱溶着部に切断開始傷加工を施すとともに、切断開始傷加工に連続して非熱融着部分に切断継続傷加工を施した軟質包装袋が開示されている。
【先行技術文献】
【特許文献】
【０００３】
【特許文献１】特開２００３−１３７３０８号公報
【発明の概要】
【発明が解決しようとする課題】
【０００４】
ところで、レトルトカレーのような粘稠性の内容物が収容された包装袋を開封する際には、包装袋を端から端まで引き裂くだけでなく、引き裂いた破断片が切り離されることが望まれる。破断片が切り離されずに残ると、内容物を取り出す際に、破断片に付着している内容物が手に付着してしまうことがある。また、切れ残った破断片を無理に引き千切ろうとすると、その弾みで破断片に付着していた内容物が周囲に飛び散ってしまうことがある。
【０００５】
ここで、図２２及び図２３に、従来の包装袋を開封する様子を示す。従来例の包装袋は、表フィルム１０１ａと裏フィルム１０１ｂとを重ね合わせ、左右のサイドシール部１０２、１０４、トップシール部１０６、及びボトムシール部１０８により四方をヒートシールした平パウチである。図２２及び図２３に示す例では、左側のサイドシール部１０２のノッチ１１０から右側のサイドシール部１０４まで包装袋を開封する。破断片１００が右側へ移動するにつれて、表フィルム１０１ａ及び裏フィルム１０１ｂを引き裂いた破断線１１０ａ及び１１０ｂが右側のサイドシール部１０４へ向かって形成されていく。
【０００６】
左右のサイドシール部１０２及び１０４の間の収納部では、図２３に示すように、表フィルム１０１ａの破断線１１０ａと裏フィルム１０１ｂの破断線１１０ｂとが上下にずれる。その結果、破断線１１０ａと破断線１１０ｂは、右側のサイドシール部１０４の内縁１０４ａ上で互いに異なる位置にしばしば到達する。
【０００７】
図２４に、図２３中の破線Ｃで囲まれた部分の拡大図を示す。サイドシール部１０４の内縁１０４ａ上において、表フィルム１０１ａの破断線１１０ａの到達点Ｐａと、裏フィルム１０１ｂの破断線１１０ｂの到達点Ｐｂとは、間隔Ｗだけ離れている。到達点Ｐａ及びＰｂから更にサイドシール部１０４を引き裂くためには、この間隔Ｗの幅でサイドシール部１０４の融着部分を引き剥がす必要がある。しかし、サイドシール部１０４を引き剥がしつつ破断させるには大きな力を必要とするため、破断片１００を切り離すことが困難となる場合が少なくない。
【０００８】
本発明は、上記の事情に鑑みてなされたものであり、包装袋を一方のサイドシール部から他方のサイドシール部まで破断して開封するときに、付着していた内容物が周囲に飛び散ることなく、破断片を容易に切り離すことができる包装袋を提供することを目的としている。
【課題を解決するための手段】
【０００９】
本発明に係る発明者は、種々の実験及び検討の結果、包装袋を開封する際に、表フィルムの切断線と裏フィルムの切断線とが、一方のサイドシール部から他方のサイドシール部の内縁上の同一地点に最終的に到達すれば、他方のサイドシール部において表フィルムと裏フィルムを大きな力で剥離させる必要がなく、小さな剪断力で他方のサイドシール部を引き裂いて、包装袋の破断片を容易に切り離すことができることに着目した。
【００１０】
そこで、本発明の包装袋は、重ね合わせた表フィルムと裏フィルムの両側縁を密封する一対のサイドシール部と、前記表フィルムと前記裏フィルムの上縁を密封するトップシール部とを有し、前記一対のサイドシール部の一方のサイドシール部に易開封部を形成した包装袋であって、前記表フィルム及び裏フィルムの前記一対のサイドシール部間の領域に、前記表フィルムに設けられた表開封ガイド線と、前記裏フィルムに設けられた裏開封ガイド線とを有し、前記表開封ガイド線及び前記裏開封ガイド線は、前記易開封部から他方のサイドシール部に向けて前記包装袋の縦方向に延びる対称軸線と直交する方向に延びる開封仮想直線に対して傾斜して延在し、前記表開封ガイド線の前記他方のサイドシール部寄りの端部と、前記裏開封ガイド線の前記他方のサイドシール寄りの端部とが、前記他方のサイドシール部の内縁上又は前記内縁の近傍、又は、前記トップシール部の下縁上又は前記下縁の近傍で互いに重なっており、前記表開封ガイド線及び裏開封ガイド線の各々の前記一方のサイドシール部寄りの端部は、前記開封仮想直線よりも下側に位置し、前記表開封ガイド線及び裏開封ガイド線の各々の前記他方のサイドシール部寄りの端部は、前記開封仮想直線よりも上側に位置し、又は、前記表開封ガイド線及び裏開封ガイド線の各々の前記他方のサイドシール部寄りの端部は、前記他方のサイドシール部の内縁上又は前記内縁の近傍で互いに重なり、前記表開封ガイド線及び裏開封ガイド線の各々の前記一方のサイドシール部寄りの端部は、前記開封仮想直線よりも上側に位置し、前記表開封ガイド線及び裏開封ガイド線の各々の前記他方のサイドシール部寄りの端部は、前記開封仮想直線よりも下側に位置していることを特徴としている。
また、本発明の包装袋は、重ね合わせた表フィルムと裏フィルムの両側縁を密封する一対のサイドシール部と、前記表フィルムと前記裏フィルムの上縁を密封するトップシール部とを有し、前記一対のサイドシール部の一方のサイドシール部に易開封部を形成した包装袋であって、前記表フィルム及び裏フィルムの前記一対のサイドシール部間の領域に、前記表フィルムに設けられた表開封ガイド線と、前記裏フィルムに設けられた裏開封ガイド線とを有し、前記表開封ガイド線及び前記裏開封ガイド線は、前記易開封部から他方のサイドシール部に向けて前記包装袋の縦方向に延びる対称軸線と直交する方向に延びる開封仮想直線に対して傾斜して延在し、前記表開封ガイド線の前記他方のサイドシール部寄りの端部と、前記裏開封ガイド線の前記他方のサイドシール寄りの端部とが、前記他方のサイドシール部の内縁上又は前記内縁の近傍、又は、前記トップシール部の下縁上又は前記下縁の近傍で互いに重なっており、前記表開封ガイド線及び裏開封ガイド線の各々の前記一方のサイドシール部寄りの端部は、前記トップシール部の下縁上に位置していることを特徴としている。
また、本発明の包装袋は、重ね合わせた表フィルムと裏フィルムの両側縁を密封する一対のサイドシール部と、前記表フィルムと前記裏フィルムの上縁を密封するトップシール部とを有し、前記一対のサイドシール部の一方のサイドシール部に易開封部を形成した包装袋であって、前記表フィルム及び裏フィルムの前記一対のサイドシール部間の領域に、前記表フィルムに設けられた表開封ガイド線と、前記裏フィルムに設けられた裏開封ガイド線とを有し、前記表開封ガイド線及び前記裏開封ガイド線は、前記易開封部から他方のサイドシール部に向けて前記包装袋の縦方向に延びる対称軸線と直交する方向に延びる開封仮想直線に対して傾斜して延在し、前記表開封ガイド線の前記他方のサイドシール部寄りの端部と、前記裏開封ガイド線の前記他方のサイドシール寄りの端部とが、前記他方のサイドシール部の内縁上又は前記内縁の近傍、又は、前記トップシール部の下縁上又は前記下縁の近傍で互いに重なっており、前記表開封ガイド線及び裏開封ガイド線の各々の前記他方のサイドシール部寄りの端部は、前記一対のサイドシール部の内縁間の前記開封仮想直線に沿った長さの２８％以上の距離だけ前記開封仮想直線から離れて位置していることを特徴としている。
また、本発明の包装袋は、重ね合わせた表フィルムと裏フィルムの両側縁を密封する一対のサイドシール部と、前記表フィルムと前記裏フィルムの上縁を密封するトップシール部とを有し、前記一対のサイドシール部の一方のサイドシール部に易開封部を形成した包装袋であって、前記表フィルム及び裏フィルムの前記一対のサイドシール部間の領域に、前記表フィルムに設けられた表開封ガイド線と、前記裏フィルムに設けられた裏開封ガイド線とを有し、前記表開封ガイド線及び前記裏開封ガイド線は、前記易開封部から他方のサイドシール部に向けて前記包装袋の縦方向に延びる対称軸線と直交する方向に延びる開封仮想直線に対して傾斜して延在し、前記表開封ガイド線の前記他方のサイドシール部寄りの端部と、前記裏開封ガイド線の前記他方のサイドシール寄りの端部とが、前記他方のサイドシール部の内縁上又は前記内縁の近傍、又は、前記トップシール部の下縁上又は前記下縁の近傍で互いに重なっており、前記表開封ガイド線及び裏開封ガイド線の各々の前記一方のサイドシール部寄りの端部は、前記一方のサイドシール部の内縁上に位置している前記表開封ガイド線及び裏開封ガイド線の各々の前記他方のサイドシール部寄りの端部は、前記一対のサイドシール部の内縁間の前記開封仮想直線に沿った長さの３８％以上の距離だけ前記開封仮想直線から離れて位置していることを特徴としている。
また、本発明の包装袋は、重ね合わせた表フィルムと裏フィルムの両側縁を密封する一対のサイドシール部と、前記表フィルムと前記裏フィルムの上縁を密封するトップシール部とを有し、前記一対のサイドシール部の一方のサイドシール部に易開封部を形成した包装袋であって、前記表フィルム及び裏フィルムの前記一対のサイドシール部間の領域に、前記表フィルムに設けられた表開封ガイド線と、前記裏フィルムに設けられた裏開封ガイド線とを有し、前記表開封ガイド線及び前記裏開封ガイド線は、前記易開封部から他方のサイドシール部に向けて前記包装袋の縦方向に延びる対称軸線と直交する方向に延びる開封仮想直線に対して傾斜して延在し、前記表開封ガイド線の前記他方のサイドシール部寄りの端部と、前記裏開封ガイド線の前記他方のサイドシール寄りの端部とが、前記他方のサイドシール部の内縁上又は前記内縁の近傍、又は、前記トップシール部の下縁上又は前記下縁の近傍で互いに重なっており、前記表開封ガイド線及び裏開封ガイド線の各々の前記他方のサイドシール部寄りの端部は、前記開封仮想直線の下側であって、前記開封仮想直線から、前記一対のサイドシール部の内縁間の前記開封仮想直線に沿った長さの２３％以内の距離に位置していることを特徴としている。
また、本発明の包装袋は、重ね合わせた表フィルムと裏フィルムの両側縁を密封する一対のサイドシール部と、前記表フィルムと前記裏フィルムの上縁を密封するトップシール部とを有し、前記一対のサイドシール部の一方のサイドシール部に易開封部を形成した包装袋であって、前記表フィルム及び裏フィルムの前記一対のサイドシール部間の領域に、前記表フィルムに設けられた表開封ガイド線と、前記裏フィルムに設けられた裏開封ガイド線とを有し、前記表開封ガイド線及び前記裏開封ガイド線は、前記易開封部から他方のサイドシール部に向けて前記包装袋の縦方向に延びる対称軸線と直交する方向に延びる開封仮想直線に対して傾斜して延在し、前記表開封ガイド線の前記他方のサイドシール部寄りの端部と、前記裏開封ガイド線の前記他方のサイドシール寄りの端部とが、前記他方のサイドシール部の内縁上又は前記内縁の近傍、又は、前記トップシール部の下縁上又は前記下縁の近傍で互いに重なっており、前記表開封ガイド線及び裏開封ガイド線の各々の前記一方のサイドシール部寄りの端部は、前記一方のサイドシール部の内縁上に位置していることを特徴としている。
【００１１】
このように、本発明の包装袋は、表開封ガイド線の他方のサイドシール部寄りの端部と、裏開封ガイド線の他方のサイドシール寄りの端部とが、他方のサイドシール部の内縁上又は内縁の近傍、又は、トップシール部の下縁上又は下縁の近傍で互いに重なるように開封ガイド線を設けている。このため、包装袋を一方のサイドシール部から他方のサイドシール部まで破断して開封するときに、表開封ガイド線及び裏開封ガイド線にそれぞれ到達した表フィルムの破断線及び裏フィルムの破断線が、他方のサイドシール部の内縁上で又は当該内縁に到達するまでに合流して重なるように、表開封ガイド線及び裏開封ガイド線によって誘導される。その結果、表開封ガイド線に誘導された表フィルムの破断線と裏開封ガイド線に誘導された裏フィルムの破断線とが合流し、他方のサイドシール部の内縁上の同一地点に最終的に到達する。その結果、他方のサイドシール部を小さな剪断力で引き裂くことができ、これにより、包装袋の破断片を容易に切り離すことができる。
【発明の効果】
【００１２】
本発明の包装袋によれば、包装袋を一方のサイドシール部から他方のサイドシール部まで破断して開封するときに、破断片を容易に切り離すことができる。
【図面の簡単な説明】
【００１３】
【図１】本発明の第１実施形態による包装袋の平面図である。
【図２】本発明の第１実施形態による包装袋における開封ガイド線の構造を示す平面図である。
【図３】本発明の第１実施形態による包装袋における開封時の開封ガイド線による破断線の誘導を説明するための平面図である。
【図４】本発明の第１実施形態による包装袋の開封状態を示す説明図である。
【図５】本発明の第１実施形態による包装袋の開封状態を示す説明図である。
【図６】本発明の第１実施形態による包装袋の開封状態を示す説明図である。
【図７】本発明の第１実施形態による包装袋の開封状態を示す説明図である。
【図８】本発明の第１実施形態による包装袋の変形例を示す平面図である。
【図９】本発明の第１実施形態による包装袋の変形例における開封時の開封ガイド線による破断線の誘導を説明するための平面図である。
【図１０】本発明の第２実施形態による包装袋の平面図である。
【図１１】本発明の第３実施形態による包装袋の平面図である。
【図１２】本発明の第３実施形態による包装袋における開封時の開封ガイド線による破断線の誘導を説明するための平面図である。
【図１３】本発明の第４実施形態による包装袋の平面図である。
【図１４】本発明の第５実施形態による包装袋の平面図である。
【図１５】本発明の第６実施形態による包装袋の平面図である。
【図１６】本発明の第７実施形態による包装袋の平面図である。
【図１７】本発明の第８実施形態による包装袋の平面図である。
【図１８】本発明の第９実施形態による包装袋の平面図である。
【図１９】本発明の第１０実施形態による包装袋の平面図である。
【図２０】本発明の第１０実施形態による包装袋における開封時の開封ガイド線による破断線の誘導を説明するための平面図である。
【図２１】本発明の第１１実施形態による包装袋の平面図である。
【図２２】従来例の包装袋の開封状態を示す平面図である。
【図２３】従来例の包装袋の開封状態を示す平面図である。
【図２４】図２３中の破線Ｃで囲まれた部分の拡大図である。
【発明を実施するための形態】
【００１４】
以下、図面を参照して本発明の包装袋の実施形態を説明する。
（第１実施形態）
図１に、第１実施形態の包装袋の平面図を示す。本実施形態の包装袋は、重ね合わせた表フィルム１ａと裏フィルム１ｂ（図４〜図７参照）の四方を、一対のサイドシール部２，４、トップシール部６、及びボトムシール部８によりヒートシールした平パウチであり、これらシール部２，４，６，８に囲まれた領域の表フィルム１ａと裏フィルム１ｂとの間に、内容物が密封包装されている。
【００１５】
表フィルム１ａ及び裏フィルム１ｂは、例えば、それぞれポリオレフィン層上にナイロン層を積層した積層フィルムにより構成されている。
なお、表フィルム１ａ及び裏フィルム１ｂには、熱溶着可能な種々の材料及び構成を採用することができる。例えば、表フィルム１ａ及び裏フィルム１ｂは、熱溶着可能な熱可塑性樹脂からなる単層フィルムにより構成してもよいし、溶着面をヒートシール性樹脂とする積層フィルムにより構成してもよい。積層フィルムは、中間層にバリア層を設けた積層構造としてもよいし、表層にバリア層を設けた積層構造としてもよい。また、積層フィルムは、樹脂層を基材としてもよいし、紙を基材としてもよい。
【００１６】
表フィルム１ａ及び裏フィルム１ｂの一対のサイドシール部２，４間のシールされていない領域には、表フィルム１ａに設けられた表開封ガイド線１４と、裏フィルム１ｂに設けられた裏開封ガイド線１４が設けられている。なお、図１では、表開封ガイド線及び裏開封ガイド線１４を重ねて１本の線で示している。
表開封ガイド線及び裏開封ガイド線１４は、開封仮想直線１２と斜めに交差し、左下から右上に向かう方向に沿って延在している。開封仮想直線１２は、一方のサイドシール部（以下、「左サイドシール部」ともいう）２に形成されたノッチの易開封部１０から他方のサイドシール部４（以下、「右サイドシール部」ともいう）に向けて包装袋の縦方向に延びる対称軸線１１と直交する方向に延びる仮想線であり、開封時に、易開封部１０よりも上側の部分１ｃ（以下、「破断片」ともいう）が手指で引っ張られる方向に沿った仮想線である。
【００１７】
本実施形態のように、包装袋が互いに平行な直線状の一対のサイドシール部２，４とこれらと直交する方に延びるトップシール部６とを有する長方形を有している場合には、図1に示すように、対称軸線１１は、一対のサイドシール部２，４間の中央で、一対のサイドシール部２，４と平行に延び、直線状のトップシール部６とも直交し、開封仮想直線１２はトップシール部６の直線状の下縁６ａと平行に延在する。
【００１８】
表開封ガイド線及び裏開封ガイド線１４の各々が開封仮想直線１２となす角度θは、好ましくは、１０〜５０°であり、より好ましくは、２０〜４５°である。角度θが５０°よりも大きくなると、開封時に、開封仮想直線１２に沿って引っ張る力のうち開封ガイド線１４に沿った方向の分力が小さくなり、開封ガイド線１４に沿って引き裂きにくくなる。一方、角度θが１０°よりも小さくなると、開封時に、破断線が開封ガイド線１４に到達しない可能性が高くなる。
【００１９】
表開封ガイド線及び裏開封ガイド線１４の各々の右サイドシール部４寄りの端部（以下、「終端」ともいう）１４ｂは、右サイドシール部４の内縁４ａ上で互いに重なっている。これにより、開封時に、表フィルム１ａの破断線１０ａと裏フィルム１ｂの破断線１０ｂは、表開封ガイド線及び裏開封ガイド線１４によって、右サイドシール部４の内縁４ａ上の一点に直接誘導される。
【００２０】
なお、終端１４ｂは、表フィルム１ａの破断線１０ａ及び裏フィルム１ｂの破断線１０ｂを右サイドシール部４の内縁４ａ上の一点に実質的に誘導できれば、右サイドシール部４の内縁４ａ上に位置していなくてもよく、内縁４ａの近傍に位置してもよい。ここで、内縁４ａの近傍の終端１４ｂは、内縁４ａから１０ｍｍ以内に位置することが好ましい。後述する他の実施形態においても同様である。
【００２１】
また、表開封ガイド線及び裏開封ガイド線１４の各々の左サイドシール部２寄りの端部（以下、「始端」ともいう）１４ａは、開封仮想直線１２よりも下側に所定距離Ｌ以上離れて位置している。一方、開封ガイド線１４の右サイドシール部４寄りの端部（終端）１４ｂは、開封仮想直線１２よりも上側に所定距離Ｌ以上離れて位置している。
【００２２】
ここで、所定距離Ｌは、好ましくは、一対のサイドシール部２，４の内縁２ａ，４ａ間の開封仮想直線１２に沿った長さＤの２８％以上の距離、更に好ましくは、３８％以上の距離として設定される（後述する他の実施形態においても同様である）。この長さＤに対する距離の比率は、包装袋を開封する際に破断線が形成される範囲を含むように実験的に求めたものである。表開封ガイド線及び裏開封ガイド線１４の各々の始端１４ａ及び終端１４ｂを開封仮想直線１２から所定の距離Ｌ以上離れた位置に配置することにより、開封時に破断線が開封ガイド線１４に到達する確率を高くすることができる。
【００２３】
図２に、本実施形態の表開封ガイド線及び裏開封ガイド線１４の一例を示す。図２に示す表開封ガイド線及び裏開封ガイド線１４は、表フィルム１ａ及び裏フィルム１ｂよりも破断しにくい強化部１５の縁１５ａによって構成されている。強化部１５は、表フィルム１ａと裏フィルム１ｂとを部分的に融着又は接着して形成してもよいし、表フィルム１ａ及び裏フィルム１ｂそれぞれの外面側、内面側又は層間に、部材やテープを設けて形成してもよい。表フィルム１ａと裏フィルム１ｂとを部分的に融着又は接着した場合には、表フィルム１ａと裏フィルム１ｂの融着又は接着した部分の縁が、それぞれ表開封ガイド線及び裏開封ガイド線１４となる。開封時に強化部１５の縁１５ａに到達した破断線は、強化部１５が破断しにくいため、強化部１５の縁１５ａに沿って進む。このため、強化部１５の縁１５ａが、前述した表開封ガイド線及び裏開封ガイド線１４として機能する。
【００２４】
また、表開封ガイド線及び裏開封ガイド線１４は、表フィルム１ａ及び裏フィルム１ｂよりも破断しやすい弱化部によって構成してもよい。開封時に弱化部に到達した破断線は、周囲よりも破断しやすい弱化部に沿って進むため、弱化部が表開封ガイド線及び裏開封ガイド線１４として機能する。弱化部は、表フィルム１ａ及び裏フィルム１ｂそれぞれに、非貫通のハーフカット加工部として形成することができる。ハーフカット加工部は、レーザ加工、表面に微細な刃を取り付けたロールや抜き型を用いるナイフ加工、及び高硬度の砥粒を取付けたロールで押圧する研磨加工などの種々の方法によって形成することができ、これらの方法から適宜の方法を選択して直線状またはミシン目状の非貫通のハーフカット加工部を形成すればよい。
【００２５】
なお、本実施形態では、表フィルム１ａの破断線１０ａを誘導する表開封ガイド線１４と、裏フィルム１ｂの破断線１０ｂを誘導する裏開封ガイド線１４とが、融着部のように共通の構成として形成されているものとして、或いは、表フィルム１ａに形成されている表開封ガイド線１４と裏フィルム１ｂに形成されている裏開封ガイド線１４とが互いに重なる位置に形成されているものとして説明する。以下の各実施形態においても同様である。
【００２６】
次に、図３〜図７を参照して、本実施形態の包装袋の開封を説明する。図３に、開封時の表フィルム１ａの破断線１０ａ（以下、「表破断線」ともいう）及び裏フィルム１ｂの破断線１０ｂ（以下、「裏破断線」ともいう）の位置を、未開封状態の包装袋に重ねて示す。
【００２７】
左サイドシール部２の易開封部１０から右サイドシール部４まで包装袋を開封する際には、易開封部１０よりも上側の部分を手指で右サイドシール部４に向かって引っ張ることにより、易開封部１０から左サイドシール部２が破断する。そして、易開封部１０よりも上側の部分が破断片１ｃとなる。
【００２８】
更に破断片１ｃを右側へ引っ張ると、一対のサイドシール部２，４の間の収納部で表フィルム１ａ及び裏フィルム１ｂが開裂し、表破断線１０ａと裏破断線１０ｂが右サイドシール部４へ向かって延びていく。このとき、図３に示すように、表破断線１０ａと裏破断線１０ｂとが上下にずれる表裏ずれが発生する。
【００２９】
本実施形態では、図４に示すように、先ず表フィルム１ａの表破断線１０ａが表開封ガイド線１４上の点Ｐ１に到達する。点Ｐ１に到達した表破断線１０ａは、表開封ガイド線１４に沿って、図３中に矢印Ａ１で示す方向へ進む。
【００３０】
次いで、図５に示すように、裏破断線１０ｂが裏開封ガイド線１４上の点Ｐ２に到達し、表開封ガイド線１４に沿って進んできた表破断線１０ａと合流する。点Ｐ２で合流した表破断線１０ａ及び裏破断線１０ｂは、表開封ガイド線及び裏開封ガイド線１４に沿って、図３中に矢印Ａ２で示す方向へ進む。
【００３１】
そして、図６に示すように、表破断線１０ａ及び裏破断線１０ｂは共に、表開封ガイド線及び裏開封ガイド線１４の各々の終端１４ｂに到達する。これらの終端１４ｂは、右サイドシール部４の内縁４ａ上の点Ｐ３に互いに重なって配置されている。このため、表破断線１０ａ及び裏破断線１０ｂは、表開封ガイド線及び裏開封ガイド線１４によって、右サイドシール部４の内縁４ａ上の同一地点である点Ｐ３まで直接誘導される。
【００３２】
破断片１ｃを図面右側へ更に引っ張ると、図７に示すように、表破断線１０ａと裏破断線１０ｂとが合流した１本の破断線１０ｃが、点Ｐ３から右サイドシール部４に伸長し、右サイドシール部４が破断する。この際、右サイドシール部４の破断線１０ｃは１本だけであるため、右サイドシール部４において表フィルム１ａと裏フィルム１ｂを大きな力で剥離させる必要がなく、小さな剪断力で右サイドシール部４を引き裂くことができる。その結果、破断片１ｃを容易に切り離すことができる。
【００３３】
また、図１に示したように表開封ガイド線及び裏開封ガイド線１４が左下から右上に向かう方向に沿って延在しているため、左側から開封ガイド線１４に到達した表破断線１０ａ及び裏破断線１０ｂは、表開封ガイド線及び裏開封ガイド線１４に沿って到達地点よりも上側へ誘導される。その結果、表破断線１０ａ及び裏破断線１０ｂは表開封ガイド線及び裏開封ガイド線１４よりも下側へは進まず、開封時に内容物の上面より下側まで破断して内容物がこぼれてしまうことを防止することができる。
【００３４】
（変形例）
上述した第１実施形態では、表破断線１０ａを誘導する表開封ガイド線１４と、裏破断線１０ｂを誘導する裏開封ガイド線１４とが、共通の構成又は重なって配置された例を示したが、これら表開封ガイド線及び裏開封ガイド線１４は別々に配置してもよい。
【００３５】
図８に、第１実施形態の変形例を示す。本変形例では、表開封ガイド線及び裏開封ガイド線は、表フィルム１ａの破断線（表破断線）１０ａを誘導する表開封ガイド線１６と、裏フィルム１ｂの破断線（裏破断線）１０ｂを誘導する裏開封ガイド線１７が、表フィルム１ａ及び裏フィルム１ｂに、弱化部又は強化部の縁としてそれぞれ形成されている。
【００３６】
表開封ガイド線１６の左サイドシール部２寄りの端部（始端）１６ａと裏開封ガイド線１７の左サイドシール部２寄りの端部（始端）１７ａは、互いに異なる位置に配置されている。一方、表開封ガイド線１６の右サイドシール部４寄りの端部（終端）１６ｂと裏開封ガイド線１７の右サイドシール部４寄りの端部（終端）１７ｂとは、右サイドシール部４の内縁４ａ上の点Ｐ３で重なっている。
【００３７】
次に、図９を参照して、本変形例の包装袋の開封を説明する。図９に、開封時の表破断線１０ａ及び裏破断線１０ｂの位置を、未開封状態の包装袋に重ねて示す。
開封時に、表破断線１０ａ及び裏破断線１０ｂは、左サイドシール部２から右サイドシール部４へ向かって延びていく。その結果、表破断線１０ａは、表開封ガイド線１６上の点Ｐ１に到達し、表開封ガイド線１６に沿って、図９中の矢印Ａ１の方向へ進む。一方、裏破断線１０ｂは、裏開封ガイド線１７上の点Ｐ２に到達し、裏開封ガイド線１７に沿って、図９中の矢印Ａ２の方向へ進む。
【００３８】
表開封ガイド線１６の終端１６ｂと裏開封ガイド線１７の終端１７ｂとは、右サイドシール部４の内縁４ａ上の同一地点である点Ｐ３に配置されている。このため、表破断線１０ａと裏破断線１０ｂとは、点Ｐ３で合流する。その結果、右サイドシール部４を小さな剪断力で引き裂くことができ、点Ｐ３から１本の破断線１０ｃが右サイドシール部４を進み、破断片を容易に切り離すことができる。
【００３９】
（第２実施形態）
次に、図１０を参照して、第２実施形態の包装袋を説明する。
なお、以下の各実施形態の包装袋は、開封ガイド線を除き第１実施形態のものと実質的に同じであるため、同一構成要素については、同一符号を付してその詳細な説明を省略する。また、以下の各実施形態においても、第１実施形態及びその変形例と同様に、開封ガイド線は、弱化部として形成してもよいし、強化部の縁として形成してもよく、また、表フィルムと裏フィルムで別々の位置に配置してもよい。また、以下の各実施形態において、開封ガイド線が開封仮想直線１２と成す角度の好適範囲も、第１実施形態と同様である。また、以下の各実施形態においても、開封ガイド線の左サイドシール部２寄りの端部を始端と称し、右サイドシール部４寄りの端部を終端と称する。
【００４０】
図１０に示すように、本実施形態の包装袋における表開封ガイド線及び裏開封ガイド線１８は、開封仮想直線１２と斜めに交差し、左下から右上に向かう方向に沿って延在している。表開封ガイド線及び裏開封ガイド線１８の各々の終端１８ｂは、第１実施形態と同様に、右サイドシール部４の内縁４ａ上の、開封仮想直線１２よりも上側に所定距離Ｌ以上離れた位置で互いに重なっている。これにより、開封時に破断線が表開封ガイド線及び裏開封ガイド線１４に到達する確率を高くすることができる。
【００４１】
一方、表開封ガイド線及び裏開封ガイド線１８の各々の始端１８ａは、左サイドシール部２の内縁２ａ上に配置されている。これにより、開封時に、開封仮想直線１２よりも下側に進む破断線は、開封ガイド線１８に確実に到達する。
【００４２】
開封時に、表破断線と裏破断線は、表開封ガイド線及び裏開封ガイド線１８にそれぞれ到達して合流し、右サイドシール部４の内縁４ａ上の終端１８ｂに到達する。これにより、本実施形態においても、右サイドシール部４を小さな剪断力で引く裂ことができ、終端１８ｂから１本の破断線が右サイドシール部４を進み、破断片を容易に切り離すことができる。
【００４３】
（第３実施形態）
次に、図１１を参照して、第３実施形態の包装袋を説明する。
なお、本実施形態の包装袋の易開封部１０は、第１実施形態のものよりもトップシール部６に近い位置に設けられている。
【００４４】
図１１に示すように、本実施形態の包装袋における表開封ガイド線及び裏開封ガイド線２０は、開封仮想直線１２と斜めに交差し、左下から右上に向かう方向に沿って延在している。表開封ガイド線及び裏開封ガイド線２０の各々の始端２０ａは、第１実施形態と同様に、開封仮想直線１２よりも下側に所定距離Ｌ以上離れて位置している。これにより、開封時に破断線が開封ガイド線２０に到達する確率を高くすることができる。
【００４５】
一方、表開封ガイド線及び裏開封ガイド線２０の各々の終端２０ｂは、トップシール部６の下縁６ａ上に互いに重なって位置している。これにより、開封時に、開封仮想直線１２よりも上側に進む破断線は、開封ガイド線２０に確実に到達する。
【００４６】
次に、図１２を参照して、本実施形態の包装袋の開封を説明する。図１２に、開封時の表破断線１０ａ及び裏破断線１０ｂの位置を、未開封状態の包装袋に重ねて示す。
開封時に、表破断線１０ａ及び裏破断線１０ｂは、左サイドシール部２から右サイドシール部４へ向かって延びていく。その結果、本実施形態では、先ず表破断線１０ａが、表開封ガイド線２０上の点Ｐ１に到達し、表開封ガイド線２０に沿って、矢印Ａ１の方向へ進む。
【００４７】
次いで、裏破断線１０ｂが、裏開封ガイド線２０上の点Ｐ２に到達し、表開封ガイド線２０に沿って進んできた表破断線１０ａと合流する。点Ｐ２で合流した表破断線１０ａと裏破断線１０ｂは、表開封ガイド線及び裏開封ガイド線２０に沿って、矢印Ａ２の方向へ進む。その結果、表破断線１０ａ及び裏破断線１０ｂは共に、表開封ガイド線及び裏開封ガイド線２０によって、表開封ガイド線及び裏開封ガイド線２０の終端２０ｂ、即ち、トップシール部６の下縁６ａ上の点Ｐ３に誘導される。
【００４８】
点Ｐ３に到達した表破断線１０ａ及び裏破断線１０ｂは、揃ってトップシール部６の下縁６ａに沿って、矢印Ａ３の方向へ進み、トップシール部６の下縁６ａと右サイドシール部４の内縁４ａとが合わさるコーナーの点Ｐ４に到達する。したがって、本実施形態においても、表開封ガイド線及び裏開封ガイド線２０によって、表破断線１０ａ及び裏破断線１０ｂは、右サイドシール部４の内縁４ａ上の同一地点に誘導されることになる。これにより、本実施形態においても、右サイドシール部４を小さな剪断力で引く裂ことができ、点Ｐ４から１本の破断線１０ｃが右サイドシール部４を進み、破断片を容易に切り離すことができる。
【００４９】
なお、終端２０ｂは、表破断線１０ａ及び裏破断線１０ｂが揃ってトップシール部６の下縁６ａに沿って進み、右サイドシール部４の内縁４ａ上の同一地点に実質的に誘導できれば、トップシール部６の下縁６ａ上に位置していなくともよく、トップシール部６の下縁６ａの近傍に位置してもよい。ここで、下縁６ａの近傍に終端２０ｂは、下縁６ａから１０ｍｍ以内に位置することが好ましい。他の実施形態においても同様である。
【００５０】
（第４実施形態）
次に、図１３を参照して、第４実施形態の包装袋を説明する。
なお、本実施形態の包装袋の易開封部１０は、第１実施形態のものよりもトップシール部６に近い位置に設けられている。
【００５１】
図１３に示すように、本実施形態の包装袋における表開封ガイド線及び裏開封ガイド線２２は、開封仮想直線１２と斜めに交差し、左下から右上に向かう方向に沿って延在している。表開封ガイド線及び裏開封ガイド線２２の各々の終端２２ｂは、第３実施形態と同様に、トップシール部６の下縁６ａ上に位置している。これにより、開封時に、開封仮想直線１２よりも上側に進む破断線は、表開封ガイド線及び裏開封ガイド線２２に確実に到達する。
【００５２】
一方、表開封ガイド線及び裏開封ガイド線２２の各々の始端２２ａは、左サイドシール部２の内縁２ａ上に位置している。これにより、開封時に、開封仮想直線１２よりも下側に進む破断線も、表開封ガイド線及び裏開封ガイド線２２に確実に到達する。したがって、本実施形態では、開封時に、表破断線及び裏破断線はそれぞれ表開封ガイド線及び裏開封ガイド線２２に確実に達することになる。
【００５３】
開封時に、表破断線と裏破断線は、表開封ガイド線及び裏開封ガイド線２２にそれぞれ到達して合流し、トップシール部６の下縁６ａ上で互いに重なっている終端２２ｂに到達する。終端２２ｂに到達した表破断線及び裏破断線は、揃ってトップシール部６の下縁６ａに沿って進み、トップシール部６の下縁６ａと右サイドシール部４の内縁４ａとが合わさるコーナーに到達する。その結果、本実施形態においても、右サイドシール部４を小さな剪断力で引く裂ことができ、コーナーから１本の破断線が右サイドシール部４を進み、破断片を容易に切り離すことができる。
【００５４】
（第５実施形態）
次に、図１４を参照して、第５実施形態の包装袋を説明する。図１４に示すように、本実施形態の包装袋における表開封ガイド線及び裏開封ガイド線３０は、開封仮想直線１２と斜めに交差し、左上から右下に向かう方向に沿って延在している。表開封ガイド線及び裏開封ガイド線３０の各々の終端３０ｂは、右サイドシール部４の内縁４ａ上の、開封仮想直線１２よりも下側に所定距離Ｌ以上離れた位置で互いに重なっている。これにより、開封時に、開封仮想直線よりも下側に進む破断線が開封ガイド線３０に到達する確率を高くすることができる。
【００５５】
なお、開封時に包装袋の内容物が溢れないように、表開封ガイド線及び裏開封ガイド線３０の終端３０ｂは、内容物の上面よりも高い位置に配置されるとよい。一般に、レトルトパウチの包装袋においては、レトルトパウチのトップシール部６を上にした状態で、内容物の上面が、開封仮想直線１２の下側であって、開封仮想直線１２から、一対のサイドシール部２、４の内縁２ａ、４ａ間の開封仮想直線１２に沿った長さＤの２３％以内の距離だけ開封仮想直線１２の下方に位置することが多い。このため、本実施形態においても、内容物の上面が、開封仮想直線１２よりも下側に所定距離Ｌだけ離れた位置よりも高い位置となる場合には、表開封ガイド線及び裏開封ガイド線３０の各々の右サイドシール部４寄りの端部３０ｂを、開封仮想直線１２の下側であって、開封仮想直線１２から、長さＤの２３％以内の距離に位置させることが好ましい。
【００５６】
一方、開封ガイド線３０の始端３０ａは、開封仮想直線１２よりも上側に所定距離Ｌ以上離れて位置している。これにより、開封時に、開封仮想直線１２よりも上側に進む破断線が開封ガイド線３０に到達する確率を高くすることができる。
【００５７】
開封時に、表破断線と裏破断線は、表開封ガイド線及び裏開封ガイド線３０にそれぞれ到達して合流し、右サイドシール部４の内縁４ａ上で互いに重なっている終端３０ｂに到達する。その結果、本実施形態においても、右サイドシール部４を小さな剪断力で引く裂ことができ、表開封ガイド線及び裏開封ガイド線３０の終端３０ｂから１本の破断線が右サイドシール部４を進み、破断片を容易に切り離すことができる。
【００５８】
（第６実施形態）
次に、図１５を参照して、第６実施形態の包装袋を説明する。
なお、本実施形態の包装袋の易開封部１０は、第１実施形態のものよりもトップシール部６に近い位置に設けられている。
【００５９】
図１５に示すように、本実施形態の包装袋における表開封ガイド線及び裏開封ガイド線３２は、開封仮想直線１２と斜めに交差し、左上から右下に向かう方向に沿って延在している。表開封ガイド線及び裏開封ガイド線３２の各々の終端３２ｂは、第５実施形態と同様に、右サイドシール部４の内縁４ａ上の、開封仮想直線１２よりも上側に所定距離Ｌ以上離れた位置で互いに重なっている。これにより、開封時に、開封仮想直線１２よりも下側に進む破断線が表開封ガイド線及び裏開封ガイド線３２に到達する確率を高くすることができる。
【００６０】
一方、表開封ガイド線及び裏開封ガイド線３２の各々の始端３２ａは、トップシール部６の下縁６ａ上に位置している。これにより、開封時に、開封仮想直線１２よりも上側に進む破断線は、表開封ガイド線及び裏開封ガイド線３２に確実に到達することができる。
【００６１】
開封時に、表破断線と裏破断線は、表開封ガイド線及び裏開封ガイド線３２にそれぞれ到達して合流し、右サイドシール部４の内縁４ａ上の終端３２ｂに到達する。その結果、本実施形態においても、右サイドシール部４を小さな剪断力で引き裂くことができ、表開封ガイド線及び裏開封ガイド線３２の互いに重なっている終端３２ｂから１本の破断線が右サイドシール部４を進み、破断片を容易に切り離すことができる。
【００６２】
（第７実施形態）
次に、図１６を参照して、第７実施形態の包装袋を説明する。
図１６に示すように、本実施形態の包装袋における表開封ガイド線及び裏開封ガイド線３４は、開封仮想直線１２と斜めに交差し、左上から右下に向かう方向に沿って延在している。表開封ガイド線及び裏開封ガイド線３４の各々の終端３４ｂは、第５実施形態と同様に、右サイドシール部４の内縁４ａ上の、開封仮想直線１２よりも上側に所定距離Ｌ以上離れた位置で互いに重なっている。これにより、開封時に、開封仮想直線１２よりも下側に進む破断線が開封ガイド線３２に到達する確率を高くすることができる。
【００６３】
一方、表開封ガイド線及び裏開封ガイド線３４の各々の始端３４ａは、左サイドシール部２の内縁２ａ上に位置している。これにより、開封時に、開封仮想直線１２よりも上側に進む破断線は、開封ガイド線３４に確実に到達することができる。
【００６４】
開封時に、表破断線と裏破断線は、表開封ガイド線及び裏開封ガイド線３４にそれぞれ到達して合流し、右サイドシール部４の内縁４ａ上で互いに重なっている終端３４ｂに到達する。その結果、本実施形態においても、右サイドシール部４を小さな剪断力で引き裂くことができ、表開封ガイド線及び裏開封ガイド線３４の終端３４ｂから１本の破断線が右サイドシール部４を進み、破断片を容易に切り離すことができる。
【００６５】
（第８実施形態）
次に、図１７を参照して、第８実施形態の包装袋を説明する。
図１７に示すように、本実施形態の開封ガイド線は、表フィルム１ａ及び裏フィルム１ｂにそれぞれ設けられた、第1開封ガイド線３８と、第1開封ガイド線３８よりも他方のサイドシール部４寄りに配置された第２開封ガイド線４０とから構成されている。第1開封ガイド線３８及び第２開封ガイド線４０は、共に開封仮想直線１２と斜めに交差し、左下から右上に向かう方向に沿って延在している。
【００６６】
第1開封ガイド線３８の始端３８ａは、開封仮想直線１２よりも下側に所定距離Ｌ以上離れて位置し、一方、第1開封ガイド線３８の終端３８ｂは、右サイドシール部４の内縁４ａ上で、開封仮想直線１２よりも上側に所定距離Ｌ以上離れて位置している。
【００６７】
第２開封ガイド線４０は、第1開封ガイド線３８上の点Ｐから分岐し、左サイドシール部２に近づくにつれて第1開封ガイド線３８から遠ざかるように配置されている。第２開封ガイド線４０の終端４０ｂは、第1開封ガイド線３８上の点Ｐに配置され、第２開封ガイド線４０の始端４０ａは、開封仮想直線１２よりも下側に所定距離Ｌ以上離れて位置している。
【００６８】
このように、第1開封ガイド線３８に加えて第２開封ガイド線４０を設けているので、開封時に、第1開封ガイド線３８に到達した表破断線及び裏破断線の一方又は双方が、第1開封ガイド線３８を横切って進んだ場合であっても、第２開封ガイド線４０に到達した破断線を第1開封ガイド線３８上の点Ｐに誘導し、続いて、第1開封ガイド線３８によって破断線を右サイドシール部４の内縁４ａ上の終端３８ｂへ誘導することができる。
【００６９】
（第９実施形態）
次に、図１８を参照して、第９実施形態の包装袋を説明する。
図１８に示すように、本実施形態の開封ガイド線は、表フィルム１ａ及び裏フィルム１ｂのそれぞれに設けられた、第1開封ガイド線４２と、第1開封ガイド線４２よりも他方のサイドシール部４寄りに配置された第２開封ガイド線４４とから構成されている。第1開封ガイド線４２及び第２開封ガイド線４４は、共に開封仮想直線１２と斜めに交差し、左下から右上に向かう方向に沿って延在し、かつ、左サイドシール部２に近づくにつれて互いに遠ざかるように配置されている。
【００７０】
第1開封ガイド線４２の終端４２ｂと、第２開封ガイド線４４の終端４４ｂとは、右サイドシール部４の内縁４ａ上の、開封仮想直線１２から上側に所定距離Ｌ以上離れた位置に互いに重なって配置されている。また、第1開封ガイド線４２の始端４２ａ及び第２開封ガイド線４４の始端４４ａは、開封仮想直線１２よりも下側に所定距離Ｌ以上離れた位置に配置されている。
【００７１】
このように、第1開封ガイド線４２に加えて第２開封ガイド線４４を設けたので、開封時に、第1開封ガイド線４２に到達した表破断線及び裏破断線の一方又は双方が、第1開封ガイド線４２を横切って進んだ場合であっても、第２開封ガイド線４４に到達した破断線を右サイドシール部４の内縁４ａ上の終端４４ｂへ誘導することができる。
【００７２】
（第１０実施形態）
次に、図１９を参照して、第１０実施形態の包装袋を説明する。
本実施形態の開封ガイド線は、表フィルム１ａ及び裏フィルム１ｂのそれぞれに設けられた、第１開封ガイド線４６と第２開封ガイド線４８とから構成されている。第１及び第２開封ガイド線４６及び４８は、開封仮想直線１２に対して互いに反対に傾斜し、かつ、左サイドシール部２に近づくにつれて互いに遠ざかるように配置されている。
【００７３】
第１開封ガイド線４６の終端４６ｂと、第２開封ガイド線４８の終端４８ｂとは、右サイドシール部４の内縁４ａ上で、開封仮想直線１２上に、互いに重なって配置されている。
なお、終端４６ｂ及び終端４８ｂは、右サイドシール部４の内縁４ａ上で、開封仮想直線１２から離れた位置に、互いに重なって配置されてもよい。
【００７４】
また、第１開封ガイド線４６の始端４６ａは、開封仮想直線１２よりも上側に所定距離Ｌ以上離れた位置に配置され、一方、第２開封ガイド線４８の始端４８ａは、開封仮想直線１２よりも下側に所定距離Ｌ以上離れた位置に配置されている。これにより、破断線が、第１及び第２開封ガイド線４６及び４８の少なくとも一方に到達する可能性を高くすることができる。
【００７５】
次に、図２０を参照して、本実施形態の包装袋の開封を説明する。図２０に、開封時の表破断線１０ａ及び裏破断線１０ｂの位置を、未開封状態の包装袋に重ねて示す。
開封時に、表破断線１０ａ及び裏破断線１０ｂは、左サイドシール部２から右サイドシール部４へ向かって延びていく。その結果、表破断線１０ａは、第２開封ガイド線４８に到達し、第２開封ガイド線４８に沿って矢印Ａ１の方向へ進み、第２開封ガイド線４８の終端４８ｂに到達する。一方、裏破断線１０ｂは、第１開封ガイド線４６に到達し、第1開封ガイド線４６に沿って矢印Ａ２の方向へ進み、第１開封ガイド線４６の終端４６ｂに到達する。
【００７６】
終端４６ｂ及び終端４８ｂは共に、右サイドシール部４の内縁４ａ上の点Ｐに重なって配置されているため、表破断線１０ａと裏破断線１０ｂとは、点Ｐで合流する。その結果、右サイドシール部４を小さな剪断力で引き裂くことができ、点Ｐから１本の破断線１０ｃが右サイドシール部４を進み、破断片を容易に切り離すことができる。
【００７７】
（第１１実施形態）
次に、図２１を参照して、第１１実施形態の包装袋を説明する。
本実施形態の開封ガイド線は、表フィルム１ａ及び裏フィルム１ｂのそれぞれに設けられた、第１開封ガイド線５６と、第１開封ガイド線５６から分岐した第２開封ガイド線５４とから構成されている。第１開封ガイド線５６及び第２開封ガイド線５４は、開封仮想直線１２に対して互いに反対に傾斜し、かつ、左サイドシール部２に近づくにつれて互いに遠ざかるように配置されている。
【００７８】
第１開封ガイド線５６の始端５６ａは、開封仮想直線１２よりも下側に所定距離Ｌ以上離れた位置に配置され、一方、第２開封ガイド線５４の始端５４ａは、開封仮想直線１２よりも上側に所定距離Ｌ以上離れた位置に配置されている。これにより、破断線が、第１開封ガイド線５６及び第２開封ガイド線５４の少なくとも一方に到達する可能性を高くすることができる。
【００７９】
また、第１開封ガイド線５６の終端５６ｂは、右サイドシール部４の内縁４ａ上に配置され、一方、第２開封ガイド線５４の終端５４ｂは、第１開封ガイド線５６上の点Ｐに配置されている。このため、開封時に、第１開封ガイド線５６に到達した破断線は、右サイドシール部４の内縁４ａ上の終端５６ｂに誘導される。一方、第２開封ガイド線５４に到達した破断線は、終端５４ｂ（即ち、第１開封ガイド線５６上の点Ｐ）に誘導され、続いて、第１開封ガイド線５６によって右サイドシール部４の内縁４ａ上の終端５６ｂへ誘導される。このように、本実施形態においても、表及び裏破断線が共に右サイドシール部４の内縁４ａ上の一点に誘導される。その結果、右サイドシール部４を小さな剪断力で引く裂ことができ、コーナーから１本の破断線が右サイドシール部４を進み、破断片を容易に切り離すことができる。
【００８０】
以上、本発明の実施形態を説明したが、本発明は、上述した実施形態に限定されるものではなく、本発明の範囲で種々の変更実施が可能である。上述した実施形態では、直線状に延在した開封ガイド線の例を説明したが、本発明では，開封ガイド線は直線に限定されず、曲線状又は屈曲線としてもよい。
【００８１】
また、上述した実施形態では、ほぼ長方形の平面形状を有し、四方がヒートシールされた平パウチの包装袋の例を説明したが、本発明では、包装袋の形状はこれに限定されず、例えば、スタンディングパウチ、ガゼット付きパウチ、及び、折り返したフィルムの三方をシールした包装袋にも適用するができる。
【００８２】
また、一対のサイドシール部それぞれの長さ及び幅は互いに同一であってもよいし、異なっていてもよい。また、一対のサイドシール部は、包装袋の中心線に対して対称に配置されてもよいし、非対称に配置されてもよい。また、一対のサイドシール部は、互いに平行に配置されてもよいし、非平行に配置されてもよい。例えば、一対のサイドシール部が互いに非平行であって、包装袋の平面形状が台形である場合には、その台形の中心軸線が縦方向に延びる対称軸線となる。
【産業上の利用可能性】
【００８３】
本発明に係る包装袋は、レトルトパウチのように食品を収容する包装袋の他、飲料や医薬品等に用いる各種包装袋にも適用することができる。
【符号の説明】
【００８４】
１ａ  表フィルム
１ｂ  裏フィルム
１ｃ  破断片
２  一方のサイドシール部（左サイドシール部）
２ａ  左サイドシール部の内縁
４  他方のサイドシール部（右サイドシール部）
４ａ  右サイドシール部の内縁
６  トップシール部
６ａ  トップシール部の下縁
８  ボトムシール部
１０  易開封部
１０ａ  表フィルムの破断線（表破断線）
１０ｂ  裏フィルムの破断線（裏破断線）
１０ｃ  右サイドシール部の破断線
１１  対称軸線
１２  開封仮想直線
１４，１６，１７，１８，２０，２２，３０，３２，３４，３８，４０，４２，４４，４６，４８，５４，５６  開封ガイド線
１４ａ，１６ａ，１７ａ，１８ａ，２０ａ，２２ａ，３０ａ，３２ａ，３４ａ，３８ａ，４０ａ，４２ａ，４４ａ，４６ａ，４８ａ，５４ａ，５６ａ  一方のサイドシール部寄りの端部（始端）
１４ｂ，１６ｂ，１７ｂ，１８ｂ，２０ｂ，２２ｂ，３０ｂ，３２ｂ，３４ｂ，３８ｂ，４０ｂ，４２ｂ，４４ｂ，４６ｂ，４８ｂ，５４ｂ，５６ｂ  他方のサイドシール部寄りの端部（終端）
１５  強化部
１５ａ  強化部の縁
【図１】
0006662012.tif 000002
【図２】
0006662012.tif 000003
【図３】
0006662012.tif 000004
【図４】
0006662012.tif 000005
【図５】
0006662012.tif 000006
【図６】
0006662012.tif 000007
【図７】
0006662012.tif 000008
【図８】
0006662012.tif 000009
【図９】
0006662012.tif 000010
【図１０】
0006662012.tif 000011
【図１１】
0006662012.tif 000012
【図１２】
0006662012.tif 000013
【図１３】
0006662012.tif 000014
【図１４】
0006662012.tif 000015
【図１５】
0006662012.tif 000016
【図１６】
0006662012.tif 000017
【図１７】
0006662012.tif 000018
【図１８】
0006662012.tif 000019
【図１９】
0006662012.tif 000020
【図２０】
0006662012.tif 000021
【図２１】
0006662012.tif 000022
【図２２】
0006662012.tif 000023
【図２３】
0006662012.tif 000024
【図２４】
0006662012.tif 000025